【手続補正書】
【提出日】平成16年11月9日(2004.11.9)
【手続補正１】
【補正対象書類名】明細書
【補正対象項目名】特許請求の範囲
【補正方法】変更
【補正の内容】
【特許請求の範囲】
【請求項１】
通信ネットワークのための統合ポリシー実施サービスで使用するための、終端デバイスおよび１つまたは複数のポリシーサーバを含む通信ネットワーク内のデータ通信スイッチであって、
終端デバイスに複数の情報を求める要求を送信するための手段と、
終端デバイスから要求した複数の情報を受信するための手段と、
１つまたは複数のポリシーサーバに、受信した複数の情報を同時に送信するための手段と、
１つまたは複数のポリシーサーバから、送信された複数の情報に基づくユーザ認証情報およびサービス品質情報を同時に受信するための手段とを含むデータ通信スイッチ。
【請求項２】
複数の情報が、ユーザ情報およびデバイス情報を含む請求項１に記載のデータ通信スイッチ。
【請求項３】
スイッチが、１つのポリシーサーバと通信し、１つのポリシーサーバが、
ユーザ認証情報を検索するための手段と、
サービス品質情報を検索するための手段とを含む請求項１に記載のデータ通信スイッチ。
【請求項４】
スイッチが、２つのポリシーサーバと通信し、第１のポリシーサーバが、ユーザ認証情報を検索するための手段を含み、かつ第２のポリシーサーバが、サービス品質情報を検索するための手段を含む請求項１に記載のデータ通信スイッチ。
【請求項５】
ユーザ認証情報に応答してネットワークリソースを未認証状態から認証済み状態に遷移させるための手段をさらに含む請求項１に記載のデータ通信スイッチ。
【請求項６】
サービス品質情報に応答して、終端デバイスから受信したデータフローに関してサービス品質をスイッチ上で実施するための手段をさらに含む請求項１に記載のデータ通信スイッチ。
【請求項７】
ユーザ認証情報が、許可されたネットワークリソースのリストを含む請求項１に記載のデータ通信スイッチ。
【請求項８】
サービス品質情報が、終端デバイスから受信したデータフローに適用されるサービス品質処理を含む請求項１に記載のデータ通信スイッチ。
【請求項９】
単一のポリシーサーバをサポートする第１のモードと、
２つのポリシーサーバをサポートする第２のモードと、前記第１のモードと第２のモードの間で選択する手段とをさらに含む請求項１に記載のデータ通信スイッチ。
【請求項１０】
通信ネットワークのための統合ポリシー実施サービスで使用するための、終端デバイスおよびポリシーサーバを含む通信ネットワーク内のデータ通信スイッチであって、
終端デバイスに複数の情報を求める要求を送信し、終端デバイスから要求した複数の情報を受信する第１のネットワークインターフェースと、
第１のネットワークインターフェースに結合された管理インターフェースであって、受信した複数の情報をポリシーサーバに送信し、ポリシーサーバが、複数の情報に応答してユーザ認証情報およびサービス品質情報を検索して、検索したユーザ認証情報およびサービス品質情報を管理インターフェースに同時に通信するインターフェースと、
ユーザ認証情報に応答して、ネットワークリソースを未認証状態から認証済み状態に遷移させる、管理インターフェースに結合された第１のドライバと、
サービス品質情報に応答して、終端デバイスから受信したデータフローに関してサービス品質をスイッチ上で実施する、管理インターフェースに結合された第２のドライバとを含むデータ通信スイッチ。
【請求項１１】
複数の情報が、ユーザ情報およびデバイス情報を含む請求項１０に記載のデータ通信スイッチ。
【請求項１２】
ユーザ認証情報が、許可されたネットワークリソースのリストを含む請求項１０に記載のデータ通信スイッチ。
【請求項１３】
サービス品質情報が、終端デバイスから受信したデータフローに適用されるサービス品質処理を含む請求項１０に記載のデータ通信スイッチ。
【請求項１４】
通信ネットワークのための統合ポリシー実施サービスで使用するための、終端デバイスおよびポリシーサーバを含む通信ネットワーク内のデータ通信スイッチであって、
終端デバイスに複数の情報を求める要求を送信し、終端デバイスから要求した複数の情報を受信する第１のネットワークインターフェースと、
受信した複数の情報をポリシーサーバに単一の制御フローで送信し、ユーザ認証情報およびサービス品質情報をポリシーサーバから該制御フローで受信する、第１のネットワークインターフェースに結合された管理インターフェースと、
ユーザ認証情報に応答して、ネットワークリソースを未認証状態から認証済み状態に遷移させる、管理インターフェースに結合された第１のドライバと、
サービス品質情報に応答して、終端デバイスから受信したデータフローに関してサービス品質をスイッチ上で実施する、管理インターフェースに結合された第２のドライバとを含むデータ通信スイッチ。
【請求項１５】
複数の情報が、ユーザ情報およびデバイス情報を含む請求項１４に記載のデータ通信スイッチ。
【請求項１６】
ユーザ認証情報が、許可されたネットワークリソースのリストを含む請求項１４に記載のデータ通信スイッチ。
【請求項１７】
サービス品質情報が、終端デバイスから受信したデータフローに適用されるサービス品質処理を含む請求項１４に記載のデータ通信スイッチ。
【請求項１８】
通信ネットワークのための統合ポリシー実施サービスで使用するための、終端デバイス、第１のポリシーサーバおよび第２のポリシーサーバを含む通信ネットワーク内のデータ通信スイッチであって、
終端デバイスに複数の情報を求める要求を送信し、終端デバイスから要求した複数の情報を受信する第１のネットワークインターフェースと、
第１のポリシーサーバに第１の制御フローで複数の情報の第１の部分を送信して、第１のポリシーサーバから該第１の制御フローでユーザ認証情報を受信し、さらに、第２のポリシーサーバに第２の制御フローで複数の情報の第２の部分を送信して、第２のポリシーサーバから第２の制御フローでサービス品質情報を受信する、第１のネットワークインターフェースに結合された管理インターフェースであって、第１の制御フローが、第２の制御フローと同時に行われるインターフェースと、
ユーザ認証情報に応答して、ネットワークリソースを未認証状態から認証済み状態に遷移させる、管理インターフェースに結合された第１のドライバと、
サービス品質情報に応答して、終端デバイスから受信したデータフローに関してサービス品質をスイッチ上で実施する、管理インターフェースに結合された第２のドライバとを含むデータ通信スイッチ。
【請求項１９】
複数の情報が、ユーザ情報およびデバイス情報を含む請求項１８に記載のデータ通信スイッチ。
【請求項２０】
ユーザ認証情報が、許可されたネットワークリソースのリストを含む請求項１８に記載のデータ通信スイッチ。
【請求項２１】
サービス品質情報が、スイッチ上で受信したデータフローに適用されるサービス品質処理を含む請求項１８に記載のデータ通信スイッチ。
【請求項２２】
終端デバイスおよび１つまたは複数のポリシーサーバを含む通信ネットワーク内で、該ネットワークのための統合ポリシー実施サービスのための方法であって、
終端デバイスに複数の情報を求める要求を送信するステップと、
終端デバイスから要求した複数の情報を受信するステップと、
１つまたは複数のポリシーサーバに受信した複数の情報を送信するステップと、
１つまたは複数のポリシーサーバから、送信した複数の情報に基づくユーザ認証情報およびサービス品質情報を同時に受信するステップとを含む、ネットワークのための統合ポリシー実施サービスのための方法。
【請求項２３】
複数の情報が、ユーザ情報およびデバイス情報を含む請求項２２に記載の方法。
【請求項２４】
ユーザ認証情報を検索するステップと、
サービス品質情報を検索するステップとをさらに含む請求項２２に記載の方法。
【請求項２５】
ユーザ認証情報に応答して、ネットワークリソースを未認証状態から認証済み状態に遷移させるステップをさらに含む請求項２２に記載の方法。
【請求項２６】
サービス品質情報に応答して、終端デバイスから受信したデータフローに関してサービス品質をスイッチ上で実施するステップをさらに含む請求項２２に記載の方法。
【請求項２７】
ユーザ認証情報が、許可されたネットワークリソースのリストを含む請求項２２に記載の方法。
【請求項２８】
サービス品質情報が、スイッチ上で受信したデータフローに適用されるサービス品質処理を含む請求項２２に記載の方法。
【請求項２９】
単一のポリシーサーバをサポートする第１のモードと２つのポリシーサーバをサポートする第２のモードの間で選択するステップをさらに含む請求項２２に記載の方法。
【請求項３０】
終端デバイス、第１のポリシーサーバおよび第２のポリシーサーバと通信するスイッチを含む通信ネットワーク内で、該ネットワークのための統合ポリシー実施サービスのための方法であって、
終端デバイスに複数の情報を求める要求を送信するステップと、
終端デバイスから要求した複数の情報を受信するステップと、
第１のポリシーサーバに第１の制御フローで複数の情報の第１の部分を送信して、第１のポリシーサーバから第１の制御フローでユーザ認証情報を受信するステップと、
第２のポリシーサーバに第２の制御フローで複数の情報の第２の部分を送信して、第２のポリシーサーバから第２の制御フローでサービス品質情報を受信するステップとを含み、
第１の制御フローが、第２の制御フローと同時に行われる、ネットワークのための統合ポリシー実施サービスのための方法。
【請求項３１】
複数の情報が、ユーザ情報およびデバイス情報を含む請求項３０に記載の方法。
【請求項３２】
ユーザ認証情報に応答して、ネットワークリソースを未認証状態から認証済み状態に遷移させるステップをさらに含む請求項３０に記載の方法。
【請求項３３】
サービス品質情報に応答して、終端デバイスから受信したデータフローに関してサービス品質をスイッチ上で実施するステップをさらに含む請求項３０に記載の方法。
【請求項３４】
ユーザ認証情報が、許可されたネットワークリソースのリストを含む請求項３０に記載の方法。
【請求項３５】
サービス品質情報が、スイッチ上で受信したデータフローに適用されるサービス品質処理を含む請求項３０に記載の方法。